(57)【要約】【課題】レッグシールドの形状を工夫することで雨水等が低床フロアに溜まりにくくした鞍乗型車両を提供する。【解決手段】操向ハンドル（２）とシート（２８）との間に設けられる低床フロア（３８）と、低床フロア（３８）の前端部から車体上方に立設して運転者の脚部に対向するレッグシールド（３４）とを有する鞍乗型車両（１）において、レッグシールド（３４）の表面に車体上下方向に延在する溝部（６０）を複数設ける。溝部（６０）を、車体下方に向かうにつれて車幅方向外側に位置するように傾斜させる。左右一対のレッグシールド（３４）のそれぞれに溝部（６０）を設ける。レッグシールド（３４）に、車幅方向外側の縁部が他の部分より車幅方向内側に位置する幅狭部（６１）を形成し、溝部（６０）を幅狭部（６１）より下方に設ける。【選択図】図２
2020050217.tif 000002
【特許請求の範囲】
【請求項１】
操向ハンドル（２）とシート（２８）との間に設けられる低床フロア（３８）と、
前記低床フロア（３８）の前端部から車体上方に立設して運転者の脚部に対向するレッグシールド（３４）とを有する鞍乗型車両（１）において、
前記レッグシールド（３４）の表面に、車体上下方向に延在する溝部（６０）が複数設けられており、
前記溝部（６０）が、車体下方に向かうにつれて車幅方向外側に位置するように傾斜していることを特徴とする鞍乗型車両。
【請求項２】
前記レッグシールド（３４）が、車幅方向左右一対で設けられており、
前記溝部（６０）が、左右の前記レッグシールド（３４）にそれぞれ設けられていることを特徴とする請求項１に記載の鞍乗型車両。
【請求項３】
前記レッグシールド（３４）に、車幅方向外側の縁部が他の部分より車幅方向内側に位置する幅狭部（６１）が形成されており、
前記溝部（６０）が、前記幅狭部（６１）より下方に設けられていることを特徴とする請求項１または２に記載の鞍乗型車両。
【請求項４】
前記レッグシールド（３４）が、前記幅狭部（６１）の下方で、車体下方に向かうにつれて車体後方に位置するように傾斜した形状を有することを特徴とする請求項３に記載の鞍乗型車両。
【請求項５】
前記レッグシールド（３４）が、型抜き成形された薄板部材で構成されていることを特徴とする請求項１ないし４のいずれかに記載の鞍乗型車両。
【請求項６】
前記溝部（６０）が、曲率（Ｒ１，Ｒ２）の異なる２つの曲面を交互に連結することで形成されていることを特徴とする請求項１ないし５のいずれかに記載の鞍乗型車両。
【請求項７】
前記レッグシールド（３４）が、車体後方に指向して前記溝部（６０）を有する後面と、車体側方に指向する側面とを屈曲部（３４ａ）で連結した一体部品であることを特徴とする請求項１ないし６のいずれかに記載の鞍乗型車両。
【請求項８】
前記溝部（６０）同士の間隔が、車体下方に向かうにつれて狭まることを特徴とする請求項１ないし７のいずれかに記載の鞍乗型車両。
【発明の詳細な説明】
【技術分野】
【０００１】
本発明は、鞍乗型車両に係り、特に、乗員が足を乗せる低床フロアの前端部から車体上方に立設するレッグシールドを備えた鞍乗型車両に関する。
【背景技術】
【０００２】
従来から、操向ハンドルとシートとの間に運転者が足を乗せる低床フロアを備えたスクータ型の鞍乗型車両が知られている。
【０００３】
特許文献１には、低床フロアの前端部から車体上方に立設して運転者の脚部に対向するレッグシールドを有するスクータ型の自動二輪車が開示されている。
【先行技術文献】
【特許文献】
【０００４】
【特許文献１】特開２０１１−４６２９２号公報
【発明の概要】
【発明が解決しようとする課題】
【０００５】
しかし、特許文献１のようなレッグシールドを備えた鞍乗型車両では、走行中にフロントカウルやレッグシールドの側面に付着した雨水等が、レッグシールドの後面側に伝わって下方に落ちて、低床フロアに雨水等が溜まりやすいという課題がった。
【０００６】
本発明の目的は、上記従来技術の課題を解決し、レッグシールドの形状を工夫することで雨水等が低床フロアに溜まりにくくした鞍乗型車両を提供することにある。
【課題を解決するための手段】
【０００７】
前記目的を達成するために、本発明は、操向ハンドル（２）とシート（２８）との間に設けられる低床フロア（３８）と、前記低床フロア（３８）の前端部から車体上方に立設して運転者の脚部に対向するレッグシールド（３４）とを有する鞍乗型車両（１）において、前記レッグシールド（３４）の表面に、車体上下方向に延在する溝部（６０）が複数設けられており、前記溝部（６０）が、車体下方に向かうにつれて車幅方向外側に位置するように傾斜している点に第１の特徴がある。
【０００８】
また、前記レッグシールド（３４）が、車幅方向左右一対で設けられており、前記溝部（６０）が、左右の前記レッグシールド（３４）にそれぞれ設けられている点に第２の特徴がある。
【０００９】
また、前記レッグシールド（３４）に、車幅方向外側の縁部が他の部分より車幅方向内側に位置する幅狭部（６１）が形成されており、前記溝部（６０）が、前記幅狭部（６１）より下方に設けられている点に第３の特徴がある。
【００１０】
また、前記レッグシールド（３４）が、前記幅狭部（６１）の下方で、車体下方に向かうにつれて車体後方に位置するように傾斜した形状を有する点に第４の特徴がある。
【００１１】
また、前記レッグシールド（３４）が、型抜き成形された薄板部材で構成されている点に第５の特徴がある。
【００１２】
また、前記溝部（６０）が、曲率（Ｒ１，Ｒ２）の異なる２つの曲面を交互に連結することで形成されている点に第６の特徴がある。
【００１３】
また、前記レッグシールド（３４）が、車体後方に指向して前記溝部（６０）を有する後面と、車体側方に指向する側面とを屈曲部（３４ａ）で連結した一体部品である点に第７の特徴がある。
【００１４】
さらに、前記溝部（６０）同士の間隔が、車体下方に向かうにつれて狭まる点に第８の特徴がある。
【発明の効果】
【００１５】
第１の特徴によれば、操向ハンドル（２）とシート（２８）との間に設けられる低床フロア（３８）と、前記低床フロア（３８）の前端部から車体上方に立設して運転者の脚部に対向するレッグシールド（３４）とを有する鞍乗型車両（１）において、前記レッグシールド（３４）の表面に、車体上下方向に延在する溝部（６０）が複数設けられており、前記溝部（６０）が、車体下方に向かうにつれて車幅方向外側に位置するように傾斜しているので、レッグシールドの表面に付着した雨水等が車幅方向外側に流れやすくすることが可能となる。これにより、低床フロアの上面に雨水等が流れ込む量を低減して、運転者の足元が濡れることを防ぐことができる。
【００１６】
第２の特徴によれば、前記レッグシールド（３４）が、車幅方向左右一対で設けられており、前記溝部（６０）が、左右の前記レッグシールド（３４）にそれぞれ設けられているので、例えば、左右のレッグシールドに左右対称の溝部を設けて、デザインの一部として機能させることが可能となる。
【００１７】
第３の特徴によれば、前記レッグシールド（３４）に、車幅方向外側の縁部が他の部分より車幅方向内側に位置する幅狭部（６１）が形成されており、前記溝部（６０）が、前記幅狭部（６１）より下方に設けられているので、走行中に車体前方から当たる走行風を、幅狭部の側方から後方に流すことが可能となる。これにより、レッグシールドの後面側に生じる負圧を低減して、運転者の快適性および車両の安定性を高めると共に、幅狭部の下方に位置する溝部に付着した雨水等を下方に流れやすくすることができる。
【００１８】
第４の特徴によれば、前記レッグシールド（３４）が、前記幅狭部（６１）の下方で、車体下方に向かうにつれて車体後方に位置するように傾斜した形状を有するので、幅狭部の側方を通る走行風によって溝部に付着した水分を車体下方に流すことがより一層容易となる。
【００１９】
第５の特徴によれば、前記レッグシールド（３４）が、型抜き成形された薄板部材で構成されているので、溝部を有するレッグシールドを容易に形成することができる。
【００２０】
第６の特徴によれば、前記溝部（６０）が、曲率（Ｒ１，Ｒ２）の異なる２つの曲面を交互に連結することで形成されているので、曲面によって形成することで溝と溝との境界線を滑らかに表現して、外観性に優れた立体的模様として機能させることが可能となる。
【００２１】
第７の特徴によれば、前記レッグシールド（３４）が、車体後方に指向して前記溝部（６０）を有する後面と、車体側方に指向する側面とを屈曲部（３４ａ）で連結した一体部品であるので、レッグシールドの側部に継ぎ目がないことで特徴的な外観とすることが可能である一方で、側面に付着した雨水が後面側に流れ込みやすくなってしまうが、後面に流れ込んだ雨水は溝部に案内して下方に排出されるため、低床フロアに水が溜まりにくくできる。
【００２２】
第８の特徴によれば、前記溝部（６０）同士の間隔が、車体下方に向かうにつれて狭まるので、それぞれの溝部に沿って下方に流れる雨水等を、溝部の下方寄りの位置で合流させて車幅方向外側に排出しやすくすることが可能となる。
【図面の簡単な説明】
【００２３】
【図１】本発明の一実施形態に係る自動二輪車の左側面図である。
【図２】車体前半部を車体左側後方から見た一部断面斜視図である。
【図３】車体前半部を車体後方から見た一部断面後面図である。
【図４】図３のIV−IV線断面を車体左側の後方上方から見た斜視図である。
【図５】図３のIV−IV線断面を車体上方から見た平面図である。
【図６】図５の一部拡大図である。
【発明を実施するための形態】
【００２４】
以下、図面を参照して本発明の好ましい実施の形態について詳細に説明する。図１は、本発明の一実施形態に係る自動二輪車１の左側面図である。自動二輪車１は、シート２８と操向ハンドル２との間に、運転者が足を載せる低床フロア３８を備えるスクータ型の鞍乗型車両である。自動二輪車１は、車体フレーム３５と、車体フレーム３５にフロントフォーク１０を介して支持される前輪ＷＦと、車体フレーム３５に支持されるユニットスイング型のパワーユニットＰと、パワーユニットＰの後端部に支持される後輪ＷＲとを備える。
【００２５】
車体フレーム３５は、ヘッドパイプ３３と、ヘッドパイプ３３から後下がりに延びる一本のダウンフレーム３６と、ダウンフレーム３６の下部から左右に延びた後に後方に直線状に延びる左右一対のロアフレーム１３と、左右のロアフレーム１３の後端から一体に後上がりに延びる左右一対のリヤフレーム２４とを備える。
【００２６】
ヘッドパイプ３３は、ステアリングステム３１を回動自在に支持する。ステアリングステム３１の下端部には、左右一対のフロントフォーク１０を支持するボトムブリッジ８が固定されている。ステアリングステム３１の上部には操向ハンドル２が取り付けられ、フロントフォーク１０の下端部には前輪ＷＦが車軸を介して支持される。これにより、操向ハンドル２の左右への操舵によって前輪ＷＦが左右に操向可能に構成される。
【００２７】
左右一対のロアフレーム１３は、車体側面視で、ダウンフレーム３６の下端部から後方に略水平に延びている。ロアフレーム１３は、低床フロア３８を支持すると共に、リンク機構１４を介してパワーユニットＰを揺動自在に軸支する。左右一対のリヤフレーム２４の立ち上がり部４０には、車体前方に突出する湾曲形状のクロスフレーム４１が取り付けられている。リンク機構１４の車体上方で、車幅方向左側のロアフレーム１３には、サイドスタンド２３が揺動自在に取り付けられている。また、パワーユニットＰの下部には、センタスタンド２６が配設されている。
【００２８】
パワーユニットＰは、エンジンの後部に無段変速機１６を一体に構成したユニットスイング式とされる。無段変速機１６は、後輪ＷＲの車幅方向左側に配設されており、無段変速機１６の上部にはエンジンの吸気通路に接続されるエアクリーナ１７が配設されている。後輪ＷＲの車幅方向右側には、エンジンの燃焼ガスを排出するマフラが配設される。パワーユニットＰの後端部は、リヤクッション１９によってリヤフレーム２４に吊り下げられている。エンジンの冷却水を放熱するラジエータ９５は、リンク機構１４の上方で車幅方向右側寄りの位置に配設されている。
【００２９】
自動二輪車１の外装部品としての車体カバー６は、ヘッドパイプ３３の前方を覆うフロントカバー７と、フロントカバー７の両側端に連結される左右一対のレッグシールド３４と、ヘッドパイプ３３の車体後方側で左右のレッグシールド３４に挟まれるアッパフロアパネル３２と、アッパフロアパネル３２の下端に連なるアンダフロアパネル４７と、操向ハンドル２の中央部を覆うハンドルカバー３とを含む。ポジションライト５を支持するハンドルカバー３の上部には、車体側面視で後上方に延びるウインドスクリーン４が配設されている。ハンドルカバー３の車幅方向外側の位置には、左右一対のバックミラー４２が配設されている。フロントカバー７の下部には、ヘッドライト３７が配設されている。
【００３０】
また、車体カバー６は、左右のロアフレーム１３を側方下方から覆う左右一対のアンダカバー１２と、左右のリヤフレーム２４の車幅方向外側を覆う左右一対のリヤサイドカバー２５と、前輪ＷＦの上方を覆うフロントフェンダ９と、後輪ＷＲの後方上方を覆うリヤフェンダ２０と、後輪ＷＲの前方上方を覆うインナリヤフェンダ１８とを含む。リヤフェンダ２０の上部後端にはテールランプ２１が取り付けられており、シート２８とテールランプ２１との間にはグラブレール２９が配設されている。
【００３１】
開閉式のシート２８の下方には、ヘルメットや工具等の荷物を収納できるラゲッジボックス３０が配設されている。ラゲッジボックス３０は、左右のリヤフレーム２４の間に配設され、その前端下部がクロスフレーム４１の上部に固定される。シート２８は、ラゲッジボックス３０の前端部に揺動自在に取り付けられており、ラゲッジボックス３０の開閉蓋として機能する。ラゲッジボックス３０の略中央部には、バッテリＢが配設されている。また、同乗者が用いる開閉式のピリオンステップ２７は、左右のリヤフレーム２４に固定されている。低床フロア３８の下部には、ガソリンタンク２２が配設されている。
【００３２】
図２は、車体前半部を車体左側後方から見た一部断面斜視図である。また、図３は車体前半部を車体後方から見た一部断面後面図である。ハンドルカバー３の下方に位置するアッパフロアパネル３２の車幅方向右側寄りの位置には、ダイヤル式のメインスイッチおよびシーソー式のシートオープナーを有するコンビスイッチ４６が配設されている。また、低床フロア３８の前端部から車体上方に立ち上がるアンダフロアパネル４７には、給油リッド４５が開閉自在に取り付けられている。
【００３３】
薄板状の合成樹脂等で形成される左右一対のレッグシールド３４は、アッパフロアパネル３２およびアンダフロアパネル４７の左右縁部にそれぞれ連結されている。図３に示す車体後面視において、レッグシールド３４の車幅方向外側の縁部には、他の部分より車幅方向内側に位置する幅狭部６１が形成されている。そして、レッグシールド３４の表面には、幅狭部６１の下方の位置に、凹形状をなして車体上下方向に延びる溝部６０が、片側に３本ずつ形成されている。
【００３４】
溝部６０は、車体下方に向かうにつれて車幅方向外側に位置するように傾斜して設けられている。これにより、レッグシールド３４の表面に付着した雨水等が車幅方向外側に流れやすくして、低床フロア３８の上面に雨水等が流れ込む量を低減し、運転者の足元が濡れることを防ぐことができる。また、溝部６０は、左右のレッグシールド３４に対称をなして設けられており、車体デザインの一部として高級感を与えることを可能とする。
【００３５】
本実施形態では、溝部６０を幅狭部６１より下方に設けることにより、走行中に車体前方から当たる走行風を幅狭部６１の側方から後方に流し、レッグシールド３４の後面側に生じる負圧を低減して運転者の快適性および車両の安定性を高めると共に、幅狭部６１の下方に位置する溝部６０に付着した雨水等を下方に流れやすくしている。また、レッグシールド３４は、幅狭部６１の下方で車体下方に向かうにつれて車体後方に位置するように傾斜した形状とされており、これにより、幅狭部６１の側方を通る走行風によって溝部６０に付着した水分を車体下方に流すことをより一層容易としている。
【００３６】
さらに、本実施形態では、溝部６０同士の間隔が車体下方に向かうにつれて狭まるように構成することで、それぞれの溝部６０に沿って下方に流れる雨水等を、溝部６０の下方寄りの位置で合流させて車幅方向外側に排出しやすくしている。
【００３７】
図４は、図３のIV−IV線断面を車体左側の後方上方から見た斜視図である。また、図５は図３のIV−IV線断面を車体上方から見た平面図である。薄板状の合成樹脂等で形成される左右のレッグシールド３４Ｌ（３４），３４Ｒ（３４）は、それぞれ、車体後方に指向して溝部６０を有する後面と、車体側方に指向する側面とを屈曲部３４ａで連結した一体部品として成形される。左右のレッグシールド３４Ｌ，３４Ｒの前方側端部には、ダウンフレーム３６および左右一対のロアフレーム１３の車体前方を覆うインナカバー４８が連結されている。
【００３８】
レッグシールド３４の側面は、車体平面視において、車体後方に向かうにつれて車幅方向外側に位置するように傾斜しており、屈曲部３４ａで連結される後面は、車体後方に向かうにつれて車幅方向内側に位置するように傾斜した形状を有する。
【００３９】
このような形状より、レッグシールド３４は、二分割された金型によって型抜き成形することが容易となる。この一体成形によれば、溝部６０を有するレッグシールド３４を容易に形成することができると共に、レッグシールド３４の側部に継ぎ目がないことで特徴的な外観とすることが可能である一方で、側面に付着した雨水が後面側に流れ込みやすくなってしまうが、後面に流れ込んだ雨水は溝部６０に案内して下方に排出されるため、低床フロア３８に水が溜まりにくくできる。
【００４０】
図６は、図５の一部拡大図である。この図では、車体右側のレッグシールド３４Ｒに形成された溝部６０を示している。溝部６０は、曲率Ｒ１による車体後方側に突出する曲面と、曲率Ｒ１より曲率の小さい曲率Ｒ２による車体前方側に突出する曲面とを交互に連結することで形成されている。これにより、曲率Ｒ２による曲面の車体後方側の面が、雨水等を流す樋として機能すると共に、曲率Ｒ１による曲面の車体後方側の面が、車体上下方向に延びる模様として視認されることとなる。このように溝部６０を形成することで、溝と溝との境界線を滑らかに表現して、外観性に優れた立体的模様として機能させることが可能となる。
【００４１】
なお、自動二輪車の形態、レッグシールドの形状や構造、レッグシールドの製造方法、溝部の形状や数、溝部の形成角度、溝部を構成する曲率の大きさ等は、上記実施形態に限られず、種々の変更が可能である。本発明に係るレッグシールドおよび溝部は、鞍乗型の三輪車や四輪車等に適用することが可能である。
【符号の説明】
【００４２】
１…自動二輪車（鞍乗型車両）、２…操向ハンドル、２８…シート、３４…レッグシールド、３４ａ…屈曲部、３８…低床フロア、６０…溝部、６１…幅狭部、Ｒ１，Ｒ２…曲率
【図１】
2020050217.tif 000003
【図２】
2020050217.tif 000004
【図３】
2020050217.tif 000005
【図４】
2020050217.tif 000006
【図５】
2020050217.tif 000007
【図６】
2020050217.tif 000008